(57)【要約】【課題】什器を構成する部材を短くして部材の軽量化を図り、部材の搬送や組立の際の負担を軽減する。【解決手段】什器５０は、床面上に設置される脚構造体１０と、脚構造体１０に支持される天板６０と、を備え、脚構造体１０は、上下方向に沿うように配置された複数の脚部材１２と、複数の脚部材１２にそれぞれ連結された複数の横杆部材１３と、を備え、複数の横杆部材１３の基端部１３ａは、それぞれ対応する脚部材１２に連結され、一の脚部材１２に基端部１３ａが連結された一の横杆部材１３の先端部１３ｂは、他の脚部材１２に基端部１３ａが連結された他の横杆部材１３の基端部１３ａと先端部１３ｂとの間に連結されている。複数の横杆部材１３が互いに連結されることで、平面視四角形状の内周フレーム部１５が形成されている。【選択図】図１
2017118947.tif 000002
【特許請求の範囲】
【請求項１】
床面上に設置される脚構造体と、
前記脚構造体に支持される上部構造と、
を備え、
前記脚構造体は、
上下方向に沿うように配置された複数の脚部材と、
複数の前記脚部材にそれぞれ連結された複数の横杆部材と、
を備え、
複数の前記横杆部材の基端部は、それぞれ対応する前記脚部材に連結され、
一の前記脚部材に基端部が連結された一の前記横杆部材の先端部は、他の前記脚部材に基端部が連結された他の前記横杆部材の基端部と先端部との間に連結されていることを特徴とする什器。
【請求項２】
複数の前記横杆部材が互いに連結されることで、平面視多角形状の内周フレーム部が形成されていることを特徴とする請求項１に記載の什器。
【発明の詳細な説明】
【技術分野】
【０００１】
この発明は、テーブルや椅子の座面、天板、座板等を支持する脚構造体を有した什器に関するものである。
【背景技術】
【０００２】
テーブルは、天板と天板を支持する支持脚とを備えている。また、椅子は、座面と座面を支持する支持脚とを備えている。
例えば特許文献１、２に示すように、このような支持脚においては、天板の角部に対応する位置に合わせて配置された複数本の脚部材と、互いに隣り合う脚部材の上端部同士を連結する連結材と、を備えたものがある。このような支持脚においては、連結材は、天板の外周部に沿って延びるように設けられている。
【先行技術文献】
【特許文献】
【０００３】
【特許文献１】特許第５０１４０６４号公報
【特許文献２】特許第５３３７６１０号公報
【発明の概要】
【発明が解決しようとする課題】
【０００４】
従来技術にあっては、連結材の長さは、天板や座板の大きさによって決まる。したがって、連結材は、テーブル等が大型化するにともない長くなる。このため、テーブルや椅子等の什器を構成する部材の重量が増加し、部材の搬送や組立に負担がかかることとなる。
【０００５】
そこで、本発明は、上記事情に鑑みたものであって、什器を構成する部材を短くして軽量化を図り、部材の搬送や組立の際の負担を軽減することのできる脚構造体を有した什器を有した什器を提供する。
【課題を解決するための手段】
【０００６】
上記の課題を解決するため、本発明の什器は、床面上に設置される脚構造体と、前記脚構造体に支持される上部構造と、を備え、前記脚構造体は、上下方向に沿うように配置された複数の脚部材と、複数の前記脚部材にそれぞれ連結された複数の横杆部材と、を備え、複数の前記横杆部材の基端部は、それぞれ対応する前記脚部材に連結され、一の前記脚部材に基端部が連結された一の前記横杆部材の先端部は、他の前記脚部材に基端部が連結された他の前記横杆部材の基端部と先端部との間に連結されていることを特徴としている。
【０００７】
本発明によれば、一の脚部材に対して基端部が連結された一の横杆部材の先端部は、他の脚部材に基端部が連結された他の横杆部材に連結されている。これにより、互いに隣接する脚構造体の脚部材同士を一本の横杆部材で直接連結する従来技術と比較し、より短い横杆部材を用いつつ、互いに隣り合う脚部材同士を同じ間隔で設けることができる。したがって、什器を構成する横杆部材を短くして軽量化を図り、横杆部材の搬送や組立の際の負担を軽減することができる。
また、横杆部材同士の連結位置を変更することで、同一の部材を使用しながら、什器の大きさを所望に変更することができる。
【０００８】
また、本発明にかかる什器は、複数の前記横杆部材が互いに連結されることで、平面視多角形状の内周フレーム部が形成されていてもよい。
【０００９】
本発明によれば、脚構造体を有した什器に多角形状の内周フレーム部が形成されることで、脚構造体が強固なものとなる。
【発明の効果】
【００１０】
本発明によれば、一の脚部材に対して基端部が連結された一の横杆部材の先端部は、他の脚部材に基端部が連結された他の横杆部材に連結されている。これにより、互いに隣接する脚構造体の脚部材同士を一本の横杆部材で直接連結する従来技術と比較し、より短い横杆部材を用いつつ、互いに隣り合う脚部材同士を同じ間隔で設けることができる。したがって、什器を構成する横杆部材を短くして軽量化を図り、横杆部材の搬送や組立の際の負担を軽減することができる。
また、横杆部材同士の連結位置を変更することで、同一の部材を使用しながら、什器の大きさを所望に変更することができる。
【図面の簡単な説明】
【００１１】
【図１】本発明に係る什器の一実施形態を示す斜視図である。
【図２】什器の比較例を示す斜視図である。
【図３】本実施形態の変形例としての什器を示す斜視図である。
【図４】本実施形態の変形例としての什器を示す斜視図である。
【図５】本実施形態の変形例としての什器を示す斜視図である。
【図６】本実施形態の変形例としての什器を示す斜視図である。
【図７】本実施形態の変形例としての什器を示す斜視図である。
【図８】本実施形態の変形例としての什器を示す斜視図である。
【図９】本実施形態の変形例としての什器を示す斜視図である。
【図１０】本実施形態の変形例としての什器を示す斜視図である。
【図１１】本実施形態の変形例としての什器を示す斜視図である。
【発明を実施するための形態】
【００１２】
次に、この発明の実施形態を図面に基づいて説明する。
図１は、本発明に係る什器の一実施形態を示す斜視図である。
図１に示すように、什器５０は、天板（請求項の「上部構造」に相当。）６０と、脚構造体１０と、を備えている。
【００１３】
天板６０は、板状に形成されており、脚構造体１０上に支持されることで水平に配置されている。天板６０は、平面形状が、例えば円形や楕円形、長方形等、いかなる形状のものであってもよい。なお、図１以降の各図では、分かり易くするために天板６０を二点鎖線で図示している。
【００１４】
脚構造体１０は、複数組（この実施形態では、例えば４組）の脚ユニット１１を組み合わせることで構成されている。
【００１５】
各脚ユニット１１は、脚部材１２と、横杆部材１３と、を備えている。
脚部材１２は、下端部１２ａが床面上に接地され、下端部１２ａから上端部１２ｂに向かって上下方向に延びるよう設けられる。
横杆部材１３は、その一端側の基端部１３ａが脚部材１２の上端部１２ｂに、ボルト、溶接、接着等によって連結されている。これにより、脚ユニット１１は、略Ｌ字状をなしている。
【００１６】
ここで、脚部材１２および横杆部材１３は、金属製、樹脂製、木製等、いかなる材料から形成されていてもよい。また、図１において、脚部材１２および横杆部材１３は、直線状に延びる杆体からなるものとしている。しかし、これに限らず、脚部材１２および横杆部材１３は、中空の管状や板状であってもよい。
【００１７】
各脚ユニット１１は、脚部材１２の下端部１２ａを床面上に接地させた状態で、横杆部材１３が、他の脚ユニット１１の横杆部材１３に対し、平面視した状態で所定の角度（本実施形態では９０°）で交差するように配置される。各脚ユニット１１の横杆部材１３は、他端側の先端部１３ｂが、他の脚ユニット１１の横杆部材１３の側面１３ｓに対し、溶接や接着、接続金具等を用いて連結されている。横杆部材１３の先端部１３ｂの連結位置Ｐは、他の脚ユニット１１の横杆部材１３の基端部１３ａと先端部１３ｂとの間となっている。
【００１８】
本実施形態では、脚部材１２および横杆部材１３の長さは、脚構造体１０を構成する複数の脚ユニット１１においてそれぞれ同一となっている。
【００１９】
また、本実施形態では、各脚ユニット１１の横杆部材１３の先端部１３ｂは、他の脚ユニット１１の横杆部材１３への連結位置Ｐが統一されている。すなわち、脚構造体１０を構成する複数の脚ユニット１１間で、各横杆部材１３において他の横杆部材１３の先端部１３ｂが連結される連結位置Ｐは、先端部１３ｂからの寸法Ｌ１が統一されている。
このようにすると、脚構造体１０には、平面視した状態で、複数の脚ユニット１１の横杆部材１３の先端部１３ｂ側同士が正多角形状（本実施形態では正方形状）に組まれた内周フレーム部１５が形成される。
【００２０】
図２は、本実施形態の上記脚構造体１０（図１参照）と大きさを比較するため、脚構造体１０の横杆部材１３（図１参照）と同じ長さの横杆部材の両端部をそれぞれ脚部材に連結した什器の比較例を示す斜視図である。
図２に示すように、比較例に係る什器１において、互いに隣接する比較用脚部材２、２の間に、上記脚構造体１０の横杆部材１３（図１参照）と同じ長さＬ０の比較用横杆部材３の両端部を連結する。この時比較用脚部材２、２の間隔Ａ０は、比較用横杆部材３の長さＬ０となる。
【００２１】
これに対し、図１に示すように、本実施形態に係る脚構造体１０は、平面視した状態で、横杆部材１３の長さＬ０は、互いに隣接する脚部材１２、１２の間隔Ａ１よりも小さくなる。より詳しくは、平面視すると、横杆部材１３の先端部１３ｂと他の横杆部材１３との連結位置Ｐと、互いに隣接する脚部材１２、１２とが直角三角形の頂点に対応する位置に配置されている。互いに隣接する脚部材１２、１２同士を結ぶ仮想線Ｋは、直角三角形の斜辺となる。斜辺となる仮想線Ｋの長さは、隣辺となる横杆部材１３の長さＬ０よりも長くなる。
【００２２】
上述した脚構造体１０において、一の横杆部材１３は、基端部１３ａが一の脚部材１２に連結され、先端部１３ｂが、他の脚部材１２に基端部１３ａが連結された他の横杆部材１３に連結されている。これにより、互いに隣接する比較用脚部材２同士を一本の長さＬ０の比較用横杆部材３で連結する場合（図２の比較例参照）と比較して、より短い長さＬ０の横杆部材１３により、互いに隣接する脚部材１２同士を間隔Ａ１とした脚構造体１０を形成することができる。したがって、同じ大きさの天板６０を支持するのに、より短い横杆部材１３により構成された脚構造体１０を用いることができる。これにより、横杆部材１３を短くして軽量化を図ることができるので、横杆部材１３の搬送や組立の際の負担を軽減することができる。
また、横杆部材１３同士の連結位置を変更することで、同一の部材を使用しながら、什器５０の大きさを所望に変更することができる。
【００２３】
また、複数本の横杆部材１３の先端部１３ｂ側が互いに連結されることで、平面視四角形状の内周フレーム部１５が形成されている。これにより、脚構造体１０を強固なものとすることができる。
【００２４】
（実施形態の変形例）
次に、上記実施形態の各変形例を示す。
上記実施形態で示したような構成では、脚部材１２と横杆部材１３とを用いることで、様々な構成の脚構造体を有する什器を構成することができる。
図３から図１１は、本発明の実施形態の変形例としての什器を示す斜視図である。
図３および図４に示すように、一の脚ユニット１１を構成する横杆部材１３の先端部１３ｂと、他の脚ユニット１１の横杆部材１３の側面１３ｓとの連結位置Ｐは、横杆部材１３の基端部１３ａと基端部１３ａとの間であれば、図１とは異なる様々な位置とすることができる。これらの変形例の場合、横杆部材１３の長さを変更することなく、他の横杆部材１３の中間部に対する連結位置Ｐを変更するのみで、脚構造体１０の大きさを容易に変更することができる。
【００２５】
また、上記実施形態では、各脚ユニット１１において、脚ユニット１１の横杆部材１３に対する連結位置Ｐが統一され、これにより、正多角形状の内周フレーム部１５が形成されていた。
これに対し、図５に示すように、複数の脚ユニット１１において、他の脚ユニット１１の横杆部材１３の連結位置Ｐを異ならせ、内周フレーム部１５を、例えば平面視長方形状となるように脚構造体１０を形成することもできる。
【００２６】
さらに、上記実施形態では、脚構造体１０を構成する全ての脚ユニット１１の横杆部材１３の先端部を、他の横杆部材１３の側面１３ｓに連結するようにしたが、これに限らない。
図６に示すように、脚構造体１０において、一部（図６の例では互いに対向する２つ）の脚ユニット１１Ａにおいては、横杆部材１３Ｃの先端部１３ｂを、他の脚ユニット１１Ｂの横杆部材１３Ｄに連結し、他の一部（図６の例では、残る２つ）の脚ユニット１１Ｂにおいては、横杆部材１３Ｄの先端部１３ｂを、脚ユニット１１Ａの脚部材１２に連結するようにしてもよい。
【００２７】
また、上記実施形態および各変形例では、脚構造体１０を、４組の脚ユニット１１から形成したが、これに限らない。
例えば、図７に示すように、３組の脚ユニット１１から脚構造体１０Ｂを形成し、三角形状の内周フレーム部１５Ｂを構成するようにしてもよい。
また、図８に示すように、５組の脚ユニット１１から脚構造体１０Ｃを形成し、五角形状の内周フレーム部１５Ｃを構成するようにしてもよい。
これ以外にも、６組以上であるｎ組の脚ユニット１１から形成すれば、ｎ角形の内周フレーム部１５を備えた脚構造体を形成することができる。
【００２８】
このように、４組を除く３組または５組以上の脚ユニット１１から脚構造体を形成する場合、一の脚ユニット１１を構成する横杆部材１３の先端部１３ｂは、他の脚ユニット１１の横杆部材１３の側面１３ｓに対し、斜めに交差して連結される。
【００２９】
また、図９に示すように、中間部に支柱３０を有する長尺の横杆部材２５と、その両端部２５ａ、２５ａにそれぞれ２組ずつ設けられた脚ユニット１１と、により脚構造体１０Ｄを構成することもできる。具体的には、長尺の横杆部材２５の両端部２５ａ、２５ａのそれぞれにおいて、図７に示した脚構造体１０Ｂと同様にして、横杆部材２５の端部２５ａと、他の２つの脚ユニット１１の横杆部材１３の先端部１３ｂとを、それぞれ、他の横杆部材１３、２５の側面１３ｓ、２５ｓに交差させて連結するようにしてもよい。このようにすると、横杆部材２５の両端部２５ａ、２５ａに、それぞれ三角形状の内周フレーム部１５Ｄが形成される。
このような脚構造体１０Ｄは、長方形や長円形、楕円形等の種々の形の天板６０を支持することができる。
【００３０】
図１０に示すように、脚構造体１０Ｅは、横杆部材２６の両端部２６ａ，２６ｂにそれぞれ脚部材２７を有する門型に形成されている。脚構造体１０Ｅは、横杆部材２６に対して、脚ユニット１１の横杆部材１３の先端部１３ｂを、横杆部材２６の端部２６ａ，２６ｂ間の側面２６ｓに連結するようにしてもよい。このようにして、平面視Ｔ字状の脚構造体１０Ｅが形成される。
このように、脚構造体１０Ｅにおいて、一の横杆部材１３の先端部１３ｂを他の横杆部材２６の側面２６ｓに連結するようにしてもよい。このような構成において、脚ユニット１１の脚部材１２とその両側の脚部材２７、２７との間隔Ａ２は、平面視した状態で、横杆部材１３の長さＬ２よりも大きくなる。
【００３１】
また、図１１に示すように、脚構造体１０Ｆを構成する一の横杆部材２９の長さＬ３を、他の脚ユニット１１の横杆部材１３の長さＬ４よりも長くするようにしてもよい。図１１の例では、４本の横杆部材２９が互いに平行となるように配置している。これら脚ユニット１１は、横杆部材１３の先端部１３ｂを、横杆部材２９の中間部に交差させて連結することで、３つの矩形状の内周フレーム部１５を構成している。
このような脚構造体１０Ｆは、長方形や長円形、楕円形等の種々の形の天板６０を支持することができる。
【００３２】
（その他の実施形態）
なお、本発明は、図面を参照して説明した上述の各実施形態に限定されるものではなく、その技術的範囲において様々な変形例が考えられる。
【００３３】
また、上記実施形態では、一の横杆部材１３の先端部１３ｂを、他の横杆部材１３の側面１３ｓに連結するようにしたが、これに限らない。例えば、一の横杆部材１３の先端部１３ｂを、他の横杆部材１３の上面や下面に連結するようにしてもよい。
【００３４】
さらに、上記実施形態では、脚構造体１０で支持する上部構造として、天板６０を例示したが、これに限らない。什器５０がチェアであれば、上部構造は座面を形成する板部材であってもよい。これ以外にも、用途に応じて様々な種類の上部構造を脚構造体１０上で支持することができる。
【００３５】
その他、本発明の趣旨を逸脱しない範囲で、上記した実施の形態における構成要素を周知の構成要素に置き換えることは適宜可能である。
【符号の説明】
【００３６】
１０、１０Ｂ、１０Ｃ、１０Ｄ、１０Ｅ、１０Ｆ  脚構造体
１１、１１Ａ、１１Ｂ  脚ユニット
１２、２７  脚部材
１３、１３Ｃ、１３Ｄ、２５、２６、２９  横杆部材
１３ａ  基端部
１３ｂ  先端部
１３ｓ、２５ｓ、２６ｓ  側面
１５、１５Ｂ、１５Ｃ、１５Ｄ  内周フレーム部
５０  什器
６０  天板（上部構造）
【図１】
2017118947.tif 000003
【図２】
2017118947.tif 000004
【図３】
2017118947.tif 000005
【図４】
2017118947.tif 000006
【図５】
2017118947.tif 000007
【図６】
2017118947.tif 000008
【図７】
2017118947.tif 000009
【図８】
2017118947.tif 000010
【図９】
2017118947.tif 000011
【図１０】
2017118947.tif 000012
【図１１】
2017118947.tif 000013